(57)【要約】【課題】全幅員を途切れずに切り込むことができ、目地溝の崩れやダレを生じにくい目地切り装置を提案する。【解決手段】本発明の目地切り装置は、フレーム３に円盤刃１を軸支すると共に、円盤刃１の両脇に同軸にして円盤刃１よりも小径のガイドローラ５を軸支し、施工面上に平行に差し渡した二本のガイドレール１０でガイドローラ５を案内すると共にその二本のガイドレール１０の間を通した円盤刃１で目地切りを行うことを特徴とする。【選択図】図１
2006233563.tif 000002
【特許請求の範囲】
【請求項１】
フレームに円盤刃を軸支すると共に、該円盤刃の両脇に同軸にして前記円盤刃よりも小径のガイドローラを軸支し、施工面上に平行に差し渡した二本のガイドレールで前記ガイドローラを案内すると共に当該二本のガイドレールの間を通した前記円盤刃で施工面に目地切りを行うことを特徴とする目地切り装置。
【請求項２】
前記フレームから上方へハンドルを延設したことを特徴とする請求項１記載の目地切り装置。
【請求項３】
前記ガイドレールの両端部をブラケットで固定してあることを特徴とする請求項１又は請求項２記載の目地切り装置。
【請求項４】
請求項１〜３のいずれか１項に記載の目地切り装置を使用したコンクリート舗装の目地施工方法であって、
コンクリート舗装の施工面上に二本の前記ガイドレールを平行に差し渡す工程と、
前記ガイドレールの間に前記円盤刃を通すと共に前記ガイドレールに前記ガイドローラを当接させる工程と、
前記ガイドレールにて前記ガイドローラを案内して前記円盤刃を回転させながら目地切り装置を移動させ、目地を切り込んでいく工程と、
目地切り終了後に、前記ガイドレールの間から目地材を目地に挿入する工程と、を実施することを特徴とする目地施工方法。
【発明の詳細な説明】
【技術分野】
【０００１】
本発明は、コンクリートやアスファルト等の舗装においてひび割れなどを防ぐために入れられる目地を所定の位置に形成するための目地切り装置に関する。
【背景技術】
【０００２】
コンクリート舗装では、その膨張又は収縮を吸収してひび割れを防止する緩衝要素として、所定の間隔で目地が施される。この目地は、コンクリート打設中に未硬化の状態で、非特許文献１に示すような振動目地切り機などを使用して施工される。振動目地切り機は、鉄板の切り込みナイフを上下動させコンクリートの施工面に圧入することで切れ目を形成していく機械である。
【０００３】
【非特許文献１】「舗装施工便覧」，平成１３年１２月４日初版第１刷発行，編集／発行所：社団法人日本道路協会，２７９頁
【発明の開示】
【発明が解決しようとする課題】
【０００４】
振動目地切り機は、垂直に立てた切り込みナイフで切り込んで目地を形成することから、施工幅員をその刃の幅に分割して作業せざるを得ない。その時に、前に切り込んだ幅の目地と次に切り込んだ幅の目地とがずれ、目地のとおりがずれてしまうことがある。
【０００５】
また、硬化前のコンクリート舗装の目地切り作業は、コンクリートのスランプや気温等の状況に応じて施工のタイミングを計るのが難しいが、特に、振動目地切り機の場合、切り込みナイフを差し込んでから引き出す時に、切り込んだ目地溝の縁がコンクリートの軟らかさのために崩れたりダレが生じたりし、目地板（スレート板等）を挿入しても平坦に入らないなどの不具合が出やすい。このため、コテによる手直しが多くなり、作業効率、平坦性や見栄えに影響する結果となっている。
【０００６】
本発明はこのような課題に着目し、全幅員を途切れずに切り込むことができ、さらに、目地溝の崩れなど不具合を生じにくい目地切り装置とこれを使用した目地施工方法を提案する。
【課題を解決するための手段】
【０００７】
本発明の目地切り装置は、フレームに円盤刃を軸支すると共に、該円盤刃の両脇に同軸にして円盤刃よりも小径のガイドローラを軸支し、施工面上に平行に差し渡した二本のガイドレールでガイドローラを案内すると共にその二本のガイドレールの間を通した円盤刃で施工面に目地切りを行うことを特徴とする。
【０００８】
この目地切り装置によれば、回転する円盤刃により、“ピザカッター”のようにして連続的に目地を切り込んでいくことができるので、全幅員を途切れずに一気に施工することができ、目地のとおりがずれることがない。加えて、ガイドレールの高さを適宜調節することにより、施工面に切れ込む円盤刃の深さを調節することができるので、目地の深さ調節も簡単に行える。
【０００９】
さらに、ガイドレールに沿ってガイドローラが回転することで円盤刃を回転させる力を得られ、また、従来の切り込みナイフに比べて円盤刃は、コンクリート等の施工部位との接触面積がかなり小さくなるので、刃が施工面から出るときの摩擦抵抗が小さくなり、目地溝縁部の崩れやダレを生じ難く、作業性も向上する。これにより、コンクリートの硬さ、つまり施工のタイミングに従来ほど神経質になる必要がなく、作業効率があがり、品質向上にも良い。
【００１０】
このような目地切り装置においては、フレームから上方へハンドルを延設することで手押し式とすることができる。すなわち、従来の振動目地切り機のようにエンジンを搭載する必要がない。また、ガイドレールは、両端部をブラケットで固定してずれたりしないようにするのが好ましい。
【００１１】
上記の目地切り装置を使用したコンクリート舗装の目地施工方法は、コンクリート舗装の施工面上に二本のガイドレールを平行に差し渡す工程と、ガイドレールの間に円盤刃を通すと共にガイドレールにガイドローラを当接させる工程と、ガイドレールにてガイドローラを案内して円盤刃を回転させながら目地切り装置を移動させ、目地を切り込んでいく工程と、目地切り終了後に、ガイドレールの間から目地材を目地に挿入する工程と、を実施することを特徴とする。
【００１２】
この施工法によると、目地が全幅員に渡り連続して形成され、目地のとおりずれが防止されるうえ、目地溝の崩れやダレも少ない。しかも、目地切り後に、ガイドレールの間を通して目地材を挿入することができるので、目地材の挿入作業も格段に楽である。
【発明の効果】
【００１３】
本発明によれば、ガイドレールでガイドローラを案内し円盤刃を回転させる方式の目地切り装置としたので、全幅員を連続して切り込んで途切れずに目地を形成していくことができ、従来のように施工幅員を刃の幅で分割したりしないので、目地のとおりがずれる心配がない。さらに、円盤刃は施工部位との接触面積が少ない回転式なので、従来の上下動式切り込みナイフのように目地溝縁部の不具合を生じ難い。したがって、コンクリートの硬さに従来ほど左右されることなく、品質の高い目地を効率良く施工することができる。
【発明を実施するための最良の形態】
【００１４】
図１〜図３に本発明の好適な実施形態を示し説明する。図１は斜視図、図２は横方向から見た側面図、図３は前方（後方）から見た側面図である。
【００１５】
本実施形態の目地切り装置は、円盤刃１を取り付けた回転軸２の両端を、“コ”字状フレーム３の先端に設けた軸受４で軸支している。そして、その円盤刃１の両脇に、円盤刃１よりも小径のガイドローラ５を設けてある。両ガイドローラ５は、回転軸２に取り付けて円盤刃１と同軸に軸支した構成である。したがって、円盤刃１とガイドローラ５は一緒に回転する。
【００１６】
フレーム３には、上方へ延びるハンドル６が延設されている。ハンドル６は、手に持ちやすいよう“Ｔ”字状にしてある。
【００１７】
この目地切り装置は、ガイドレール１０上にガイドローラ５を載せて案内するようにして使用される。したがって円盤刃１とガイドローラ５の径の差は、ガイドローラ５をガイドレール１０に置いたときにコンクリート舗装Ｃに円盤刃１の刃先が所定深さ切れ込む程の差とする。
【００１８】
ガイドレール１０は、コンクリート舗装Ｃの施工面上に二本を平行に差し渡してあり、その二本のガイドレール１０の間に円盤刃１を通せるよう所定の間隔を設けている。二本のガイドレール１０の両端部は、コンクリート舗装止め型枠Ｗの上に載置され、ブラケット１１にて互いにずれないよう固定される。このようにしてガイドレール１０は、コンクリート舗装Ｃの全幅員に差し渡されている。
【００１９】
以上の目地切り装置は、次のようにして使用する。
【００２０】
（１）硬化前のコンクリート舗装Ｃの両側にある型枠Ｗの天端に二本のガイドレール１０を差し渡して載せ、ブラケット１１にて互いに平行となるよう両端を固定する。
【００２１】
（２）ガイドレール１０の間に円盤刃１を通すようにして、ガイドローラ５をガイドレール１０上に載せる。これにより、円盤刃１がコンクリート舗装Ｃの施工面に所定の深さ食い込む。この深さ、つまり目地の深さは、ガイドレール１０の高さを調整することで現場で設定可能である。
【００２２】
（３）ハンドル６を手に持って、ガイドレール１０にてガイドローラ５を案内しながら目地切り装置を前後させ、徐々に前方へ移動させて行く。すると、ガイドローラ５と共に円盤刃１が回転し、ガイドレール１０の間に沿って真っ直ぐに連続して目地が切れていく。
【００２３】
この時に、回転する円盤刃１により、“ピザカッター”のようにして連続的に目地を切り込んでいくことができるので、全幅員を途切れずに一気に施工することができ、目地のとおりがずれることがない。さらに、ガイドレール１０に沿ってガイドローラ５が回転することで円盤刃１を回転させる力を得られ、また、円盤刃１のコンクリートＣとの接触面積は小さいので、回転した刃がコンクリートから出るときの摩擦抵抗は小さく、目地溝縁部の崩れやダレを生じ難く、作業性も向上する。
【００２４】
（４）全幅員に渡って目地切りが終了した後、ガイドレール１０の間から目地材（スレート板等）を目地に挿入し、薄板等を使用してさらに上から押し込む。
【００２５】
（５）目地切り装置をガイドレール１０（ブラケット１１にて固定したまま）と共に持ち上げてはずし、次の目地切り位置へ移動させる。
【００２６】
（６）目地材の高さが舗装仕上がり厚に一致するようにコテで修正して仕上げる。
【００２７】
この施工例によると、目地が全幅員に渡り連続して形成され、目地のとおりずれが防止されるうえ、目地溝の崩れやダレも少ない。そして、目地切り後に、ガイドレール１０の間を通して目地材を挿入することができるので、目地材の挿入作業が従来に比べ格段に楽である。
【図面の簡単な説明】
【００２８】
【図１】本発明に係る目地切り装置の斜視図。
【図２】図１の目地切り装置を横方向から見た側面図。
【図３】図１の目地切り装置を前方（後方）から見た側面図。
【符号の説明】
【００２９】
１  円盤刃
２  回転軸
３  フレーム
４  軸受
５  ガイドローラ
６  ハンドル
１０  ガイドレール
【図１】
2006233563.tif 000003
【図２】
2006233563.tif 000004
【図３】
2006233563.tif 000005